(57)【要約】【課題】自分がこれから購入しようとする建物や、既に保有している建物の設計が防犯上安全なものであるかを評価するためには、専門家の評価を仰ぐ必要があった。【解決手段】本発明の防犯設計手法では、テーブル（０１０２）を用いて建物（０１０４）の防犯上の弱点を採点し、採点結果に対応した防犯対策カード（０１０３）を選択することができる。選択された防犯対策カード（０１０３）には、建物（０１０４）の防犯上の弱点を克服するための防犯対策が記載されており、専門的な知識を持たなくとも効率的に防犯上の弱点を抽出して防犯設計を行うことができる。【選択図】    図１
2007220040.tif 000002
【特許請求の範囲】
【請求項１】
周辺環境、建物、生活習慣という３つのカテゴリーである第一の観点ごとに、
狙われにくい建物か、侵入しにくい建物か、被害が出にくい建物かという３つの視点から定められた複数のチェック項目をチェックすることで任意の建物を採点可能なテーブルと、このテーブルを用いて行う採点に応じて建物に対して施すべき防犯対策を示す防犯対策カードと、を用いて防犯設計をする手法であって、
前記テーブルを用いて特定の建物を周辺環境、建物、生活習慣という３つの第一の観点に分けて採点結果を取得する採点結果取得工程と、
前記防犯対策カードのなかから採点結果取得工程で取得した採点結果に応じて対応するカードを選択する防犯対策カード選択工程と、
を含む防犯設計手法。
【請求項２】
前記防犯対策カードは、周辺環境、建物の外構、建物自体、建物の部品、生活習慣の５つの第二の観点に分けられている請求項１に記載の防犯設計手法。
【請求項３】
前記第一の観点に含まれる建物カテゴリーはさらに、建物の外構、建物自体、建物の部品、という３つのサブカテゴリーに分けられており、前記採点結果取得工程は、この３つのサブカテゴリーにも分けて行われ、前記防犯対策カードの選択も、この３つのカテゴリーを含む５つのカテゴリーである第二の観点ごとに行なわれる請求項１又は２に記載の防犯設計手法。
【請求項４】
前記選択された防犯対策カードの記載に応じて防犯設備を建物に取り入れる設計をする防犯設計工程と、
をさらに含む請求項１から３のいずれか一に記載の防犯設計手法。
【請求項５】
前記防犯対策カードには、防犯対策カードに記載の防犯対策に適した設計指針と、前記設計指針にそった設計をするための設計手法と、前記設計手法を取り入れるために利用可能なアイテムリストと、が記載され、
さらに、防犯対策カードのアイテムリストの各アイテムごとに、前記設計指針にそった設計をするための一以上の防犯部材が品名、特徴、価格帯などとともに記載されているアイテムカードと、
を用いる防犯設計手法であって、
前記防犯対策カード選択工程にて選択された防犯対策カードの記載に応じてアイテムカードを選択するアイテムカード選択工程と、
前記アイテムカード選択工程にて選択されたアイテムカードの記載に応じて防犯設備を建物に取り入れる設計をする防犯設計工程と、
をさらに含む請求項１から３のいずれか一に記載の防犯設計手法。
【請求項６】
前記防犯対策カード選択工程は、
チェック項目で不十分とされた項目の数を３つの視点ごとに集計して、不十分とされるチェック項目数が多い視点ほど重い係数を割り当てる重み付け割当工程と、
割当された重み付けに応じて各チェック項目ごとに不十分であるとのチェックがされた視点を点数化してそのチェック項目の採点を行う不十分さ採点工程と、
防犯対策カードごとにその防犯対策カードが対策を施そうとするチェック項目に与えられた採点を集計して防犯対策カードの必要度数を算出する必要度数算出工程と、
を含む請求項１から５のいずれか一に記載の防犯設計手法。
【請求項７】
請求項５に記載のテーブルが記載されたシートであるテーブルシートと、防犯対策カードと、アイテムカードと、からなる防犯設計カードセット。
【発明の詳細な説明】
【技術分野】
【０００１】
本発明は、建物の設計において、その設計が防犯設計に該当しているかを点検し、該当していない箇所において適切な防犯設計を示すための技術に関する。
【背景技術】
【０００２】
近年、会社、商店、建物等の侵入被害が年々増加している。警視庁の調べでは、侵入窃盗の手口別発生状況では６０％以上が空き巣によるものであり、場所別発生状況では７０％以上が建物によるものである（非特許文献１）。
【０００３】
このような状況に鑑み、建物購入予定者あるいは既に住居している建物の居住者からの防犯建物への関心が年々高まっている。そこで、例えば、建物展示棟において実際に設置された防犯設備の機能を解説するための装置が開示されている（特許文献１）。
【非特許文献１】http://www.keishicho.metro.tokyo.jp/seian/ppiking/ppiking.htm
【特許文献１】特開２００５−２４９９００
【発明の開示】
【発明が解決しようとする課題】
【０００４】
しかし、上記技術にて建物展示棟における防犯設備の機能を確認することができたとしても、顧客が実際に知りたいのは自分がこれから購入しようとする建物や、既に保有している建物の設計が防犯上安全なものとなっているか否かについてであり、この点を確認するためには、結局のところ、専門家である技術者の評価を仰ぐことが必要である。しかし、実際に顧客との対話を行うのは、営業担当者等であるため、これらの専門的な知識を有していなくても、効率よく防犯設計に該当しているか否かを判断することができる手法が望まれている。
【課題を解決するための手段】
【０００５】
このような課題を解決するため、第一発明では、周辺環境、建物、生活習慣という３つのカテゴリーである第一の観点ごとに、狙われにくい建物か、侵入しにくい建物か、被害が出にくい建物かという３つの視点から定められた複数のチェック項目をチェックすることで任意の建物を採点可能なテーブルと、このテーブルを用いて行う採点に応じて建物に対して施すべき防犯対策を示す防犯対策カードと、を用いて防犯設計をする手法であって、前記テーブルを用いて特定の建物を周辺環境、建物、生活習慣という３つの第一の観点に分けて採点結果を取得する採点結果取得工程と、前記防犯対策カードのなかから採点結果取得工程で取得した採点結果に応じて対応するカードを選択する防犯対策カード選択工程と、を含む防犯設計手法を提案する。
【０００６】
第二発明では、第一発明に記載の防犯設計手法であって、前記防犯対策カードは、周辺環境、建物の外構、建物自体、建物の部品、生活習慣の５つの第二の観点に分けられている防犯設計手法を提案する。
【０００７】
第三発明では、第一発明又は第二発明に記載の防犯設計手法であって、前記第一の観点に含まれる建物カテゴリーはさらに、建物の外構、建物自体、建物の部品、という３つのサブカテゴリーに分けられており、前記採点結果取得工程は、この３つのサブカテゴリーにも分けて行なわれ、前記防犯対策カードの選択も、この３つのカテゴリーを含む５つのカテゴリーである第二の観点ごとに行なわれる防犯設計手法を提案する。
【０００８】
第四発明では、第一発明から第三発明のいずれか一に記載の防犯設計手法であって、前記選択された防犯対策カードの記載に応じて防犯設備を建物に取り入れる設計をする防犯設計工程と、をさらに含む防犯設計手法を提案する。
【０００９】
第五発明では、第一発明から第四発明のいずれか一に記載の防犯設計手法であって、前記防犯対策カードには、防犯対策カードに記載の防犯対策に適した設計指針と、前記設計指針にそった設計をするための設計手法と、前記設計手法を取り入れるために利用可能なアイテムリストと、が記載され、さらに、防犯対策カードのアイテムリストの各アイテムごとに、前記設計指針にそった設計をするための一以上の防犯部材が品名、特徴、価格帯などとともに記載されているアイテムカードと、を用いる防犯設計手法であって、前記防犯対策カード選択工程にて選択された防犯対策カードの記載に応じてアイテムカードを選択するアイテムカード選択工程と、前記アイテムカード選択工程にて選択されたアイテムカードの記載に応じて防犯設備を建物に取り入れる設計をする防犯設計工程と、をさらに含む防犯設計手法を提案する。
【００１０】
第六発明では、第一発明から第五発明のいずれか一に記載の防犯設計手法であって、前記防犯対策選択工程は、チェック項目で不十分とされた項目の数を３つの視点ごとに集計して、不十分とされるチェック項目数が多い視点ほど重い係数を割り当てる重み付け割当工程と、割当された重み付けに応じて各チェック項目ごとに不十分であるとのチェックがされた視点を点数化してそのチェック項目の採点を行う不十分さ採点工程と、防犯対策カードごとにその防犯対策カードが対策を施そうとするチェック項目に与えられた採点を集計して防犯対策カードの必要度数を算出する必要度数算出工程と、を含む防犯設計手法を提案する。
【００１１】
第七発明では、第五発明に記載のテーブルが記載されたシートであるテーブルシートと、防犯対策カードと、アイテムカードと、からなる防犯設計カードセットを提案する。
【発明の効果】
【００１２】
以上のような構成をとる本発明の防犯設計手法では、建築士等の専門家でない住宅施工業者の営業担当者や顧客などであってもテーブルを用いて自ら建物の設計を防犯上の観点からチェックすることができる。これにより、その建物にどのような防犯設計が欠如していて、どのような防犯対策を施すべきかを、防犯対策カードを参照することで容易に捉えることができ、効率的に設計に防犯対策を反映させることができるという優れた効果を奏する。
【００１３】
また、本発明の防犯設計手法によって、複数の観点から対象となる建物が防犯上の弱点を有する設計か否かをチェックして、施すべき防犯設計を容易に把握することができる。そして、選択された防犯対策カードに記載の設計指針を参照することにより、効率的に設計に防犯対策を反映させることができるという優れた効果を奏する。
【００１４】
さらに、本発明の防犯設計手法によって、防犯対策カードを順位付けることにより、どのような順番で防犯設計を施すべきであるかを容易に把握することができるという優れた効果を奏する。
【発明を実施するための最良の形態】
【００１５】
以下に、図を用いて本発明の実施の形態を説明する。なお、本発明はこれら実施の形態に何ら限定されるものではなく、その要旨を逸脱しない範囲において、種々なる態様で実施しうる。なお、実施形態１は主に請求項１、４について説明する。実施形態２は主に請求項２、３、４について説明する。実施形態３は主に請求項５、７について説明する。実施形態４は主に請求項６について説明する。
【００１６】
≪実施形態１≫
【００１７】
（実施形態１の概念）図１は本実施形態の防犯設計手法の概要を示す図である。まず、狙われにくい、侵入しにくい、被害が出にくいという３つの視点から複数のチェック項目（０１０１）を定め、これらのチェック項目を周辺環境、建物、生活習慣という３つのカテゴリーである第一の観点に振り分けたテーブル（０１０２）と、テーブルを用いて行う採点に応じて建物に対して施すべき防犯対策を示す防犯対策カード（０１０３）を用意する。次に、該テーブル（０１０２）を用いて、特定の建物（０１０４）を第一の観点に分けて採点すると、対象とした建物の防犯上の弱点を抽出することができる。そして、テーブル（０１０２）での採点結果に応じて防犯対策カード（０１０３）を選択すると、選択された防犯対策カード（０１０３ａ）には、対象とした建物（０１０４）の防犯上の弱点を克服するための防犯設計が記載されており、対象とした建物に施すべき防犯設計を容易に把握することができる。
【００１８】
（実施形態１の構成）図２に本実施形態における防犯設計手法の処理の流れを示す。本実施形態における防犯設計手法は、「採点結果取得工程」（Ｓ０２０１）と、「防犯対策カード選択工程」（Ｓ０２０２）とからなり、必要に応じて「防犯設計工程」（Ｓ０２０３）を有する。
【００１９】
（実施形態１の構成の説明）「採点結果取得工程」（Ｓ０２０１）では、テーブル（０１０２）を用いて特定の建物（０１０４）を周辺環境、建物、生活習慣という３つの第一の観点に分けて採点結果を取得する。
【００２０】
「テーブル」（０１０２）は、複数のチェック項目を周辺環境、建物、生活習慣という３つのカテゴリーである第一の観点からチェックすることで任意の建物を採点可能なように構成されている。採点対象となる建物は、実際に現存している建物を対象として行うことだけでなく、これから建築する予定の建物をも対象とすることができる。これから建築する予定の建物を対象として採点を行う場合には、建物の施工場所、建物の設計図や住宅プラン、建物に居住すると予想される居住者などにより、建物が建築された後をある程度想定可能であれば良い。３つのカテゴリーである第一の観点は、相互に独立した関係にあり、各観点ごとの防犯設計を独立に行うことで、全体の防犯度合いを所望の度合いに設計することができる。なお、一の観点にて行う防犯対策は、他の観点には直接的には影響を及ぼさない。このため、「狙われにくい建物か」、「侵入しにくい建物か」、「被害が出にくい建物か」との共通する視点から定められた複数のチェック項目を、周辺環境、建物、生活習慣という３つのカテゴリーである第一の観点に分けてテーブルが構成されている。
【００２１】
周辺環境とは、建物が建築されているあるいは建築する予定の敷地の周辺の様子などをいう。建物とは、建築されているあるいは建築する予定の建物や建物に付属する設備（外構、部品）などをいう。生活習慣とは、建物の居住者あるいは居住予定者の日常生活における習慣などをいう。周辺環境の観点から採点可能なテーブルの一部を「周辺環境チェックリスト」（図３：０３００）、建物の観点から採点可能なテーブルの一部を「建物チェックリスト」（図４：０４００）、生活習慣から採点可能なテーブルの一部を「生活習慣チェックリスト」（図５：０５００）とする。すなわち、図１に示すように、テーブル（０１０２）は、周辺環境チェックリスト（０３００）、建物チェックリスト（０４００）、生活習慣チェックリスト（０５００）から構成されるということもできる。これらのチェックリストは、コンピュータなどを用いて形成されていてもよい。なお、図３乃至図５に示す各チェックリストは既にチェックされた後の状態を示している。周辺環境チェックリストは、対象となる建物の周辺環境にどのような防犯上の弱点が存在するかを抽出するためのチェックリストである。建物チェックリストは、建物の設計が、どのような防犯上の弱点を有しているかを抽出するためのチェックリストである。生活習慣チェックリストは、対象となる建物の居住者又は居住予定者の普段の生活習慣や防犯意識にどのような防犯上の弱点を有しているかを抽出するためのチェックリストである。
【００２２】
これらのチェックリストに記載のチェック項目は、狙われにくい建物か、侵入しにくい建物か、被害が出にくい建物かという３つの視点から定められている。例えば、図３の「街路樹が茂っていて通りの見通しが悪い」というチェック項目（０３０１）は、主に「狙われにくい建物か」、及び、「侵入しにくい建物か」との視点から定められたチェック項目である。また、このチェック項目は建物の周辺環境の様子に関するものであるから、周辺環境チェックリストのチェック項目としてテーブルの１要素となっている。同様に、図４の「塀、柵、垣は見通しの良い構造になっている」とのチェック項目（０４０１）は、主に狙われにくい建物かという視点から定められたチェック項目であり、建物の構造に関するものであるから、建物チェックリストのチェック項目としてテーブルの１要素となっている。また、図４の防犯設計欄（０４０４）に示すように、チェック項目がどのような視点から定められたものであるかを明示しても良い。さらに、図５の「近所でどんな犯罪が起きているか知っている」とのチェック項目（０５０１）は、主に狙われにくい建物か、及び、被害が出にくい建物かという視点から定められたチェック項目であり、日頃の生活習慣の様子に関するものであるから、生活習慣チェックリストのチェック項目としてテーブルの１要素となっている。このように、各チェックリストは、主として複数のチェック項目を記載する項目欄（０３０２、０４０２、０５０２）と、各項目について特定の建物をチェックするための欄（０３０３、０４０３、０５０３）とから構成される。採点結果取得工程（Ｓ０２０１）では、これらのチェックリストにて構成されているテーブルを用いて特定の建物（０１０４）を各々採点することで、周辺環境、建物、生活習慣という３つの第一の観点に分けて採点結果を取得することができる。
【００２３】
「採点」とは、採点者が各チェック項目に回答していくことで行われる。本実施形態では、全てのチェック項目が２択形式で回答するように構成されているが、例えば、「１・２・３・４・５」の５段階にて採点する形式などであっても良いし、点数を実際に書くチェック項目に記入していく形式で採点することとしてもよい。以下に、各チェックリストにて採点する方法を述べる。
【００２４】
例えば、図３に示す周辺環境チェックリスト（０３００）では、対象となる建物の周辺環境が、各チェック項目（０３０２）についてＡ列に該当するかＢ列に該当するかをチェック欄（０３０３）にチェックすることで採点を行う。Ａ列に該当する場合は、防犯上望ましい周辺環境であるとの判断になるようにチェック項目及びチェック欄が構成されている。したがって、Ｂ列に該当する項目は、採点対象とした建物の周辺環境における防犯上の弱点であるとして抽出することができる。また、Ｂ列に該当する項目が多いほど、対象となる建物の周辺環境には防犯上の弱点が多く存在することになる。
【００２５】
同様に、図４に示す建物チェックリスト（０４００）では、対象となる建物の設計が各チェック項目（０４０２）についてＹＥＳに該当するかＮＯに該当するかをチェック欄（０４０３）にチェックすることで採点を行う。ＹＥＳに該当する場合は、防犯上望ましい設計であるとの判断になるようにチェック項目及びチェック欄が構成されている。したがって、ＮＯに該当する項目は、採点対象とした建物の設計における防犯上の弱点であるとして抽出することができる。また、ＮＯに該当する項目が多いほど、対象となる建物の設計には防犯上の弱点が多く存在することになる。
【００２６】
同様に、図５に示す生活習慣チェックリスト（０５００）では、対象となる建物の居住者の生活習慣が各チェック項目（０５０２）についてＹＥＳに該当するかＮＯに該当するかをチェック欄（０５０３）にチェックすることで採点を行う。ＹＥＳに該当する場合は、防犯上望ましい生活習慣であるとの判断になるようにチェック項目及びチェック欄が構成されている。したがって、ＮＯに該当する項目は、採点対象とした建物の居住者又は居住予定者の生活習慣における防犯上の弱点であるとして抽出することができる。また、ＮＯに該当する項目が多いほど、対象となる建物の居住者又は居住予定者の生活習慣には、防犯上の弱点が多く存在することになる。
【００２７】
以上のようにして、周辺環境チェックリスト（０３００）、建物チェックリスト（０４００）、生活習慣チェックリスト（０５００）にて構成されるテーブル（０１０２）を用いてチェックすることで、周辺環境、建物、生活習慣の３つのカテゴリーである第一の観点から特定の建物（０１０４）を採点することができる。
【００２８】
「防犯対策カード選択工程」（Ｓ０２０２）では、防犯対策選択カードの中から採点結果取得工程（Ｓ０２０１）で取得した採点結果に応じて対応するカードを選択する。
【００２９】
「防犯対策カード」（０１０３）は、前記テーブル（０１０２）を用いて行う採点に応じて建物に施すべき防犯対策を示すように構成されている。図１に示すように、防犯対策カード（０１０３）は、複数の防犯対策カードから構成されており、採点結果取得工程にて取得した採点結果に応じて対応する防犯対策カード（０１０３ａ）が選択される。対応する防犯対策カードは、一枚であっても良いし、複数枚であっても良い。また、防犯上の弱点が全く無ければ、選択される防犯対策カードは無い。防犯対策カードの具体例を図６乃至図８に示す。本実施形態の防犯対策カードには、図６乃至図８に示すように、例えば１−（１）などと防犯対策番号（０６０１、０７０１、０８０１：図中は番号を（ ）ではなく、○で囲んでいる。以下本明細書を通じて同様。）が記載される。防犯対策番号（０６０１、０７０１、０８０１）の略下側には、建物チェックリストの各チェック項目に対応した防犯に適した設計指針が、ガイドライン（０６０２、０７０２、０８０２）として記載されている。該ガイドライン（０６０２、０７０２、０８０２）の略下側には、防犯対策欄（０６０３、０７０３、０８０３）が設けられている。防犯対策欄（０６０３、０７０３、０８０３）には、該設計指針にそった設計をするための設計手法が、簡単な図と解説とともに記載されている。防犯対策カードはコンピュータを用いて形成されていても良い。
【００３０】
図６は、主に周辺環境の犯罪状況を知るための防犯対策カードである。図７は、主に建物に防犯設計を施すための防犯対策カードである。図８は主に建物の居住者または居住予定者の日頃の生活における防犯意識を高めるための防犯対策カードである。なお、図６乃至図８は防犯対策カードの一例であり、これらの防犯対策カードに限られず、さらに複数の防犯対策カードからなる。防犯対策カード選択工程（Ｓ０２０２）では、採点結果取得工程で取得した採点結果に応じてこれらの防犯対策カードを選択する。
【００３１】
例えば、図３に示す周辺環境チェックリスト（０３００）にて、「街路樹が茂っていて通りの見通しが悪い」とのチェック項目（０３０１）と図６に示す周辺環境を知るための防犯対策カードが関連付けられていると、Ｂ列の「悪い」にチェックした場合には、周辺環境の犯罪状況を知るために、図６に示すカードを参照する。図６に示すカードには、犯罪状況を知るためにどのようにすれば良いのかが記載されており、このカードを参照することで、周囲環境の犯罪状況に関する知識を深めることができる。さらに、該チェック項目（０３０１）と図７に示す建物自体に防犯設計を施すための防犯対策カードと関連付けられていると、該防犯対策カードに記載されているように、塀や柵を建物の敷地内の見通しが良くなるようなデザインに変更すれば良いことが分かる。このように異なる観点の防犯対策カードに関連付けることで、間接的に上記チェック項目（０３０１）に該当する弱点を補うこととしても良い。しかし、この場合には、図７に示す防犯対策を施した場合であっても、０３０１に示すチェック項目の問題点が根本的に解消されたわけではない。なお、建物自体に防犯設計を施すための防犯対策カードでは、防犯ガイドラインと、防犯ガイドラインにそった具体的な防犯対策が記載されているため、記載された防犯対策を採点対象とした建物に施すことで、防犯上の弱点を補う設計をすることが可能である。
【００３２】
また、各チェック項目に対応する防犯対策カード番号（０６０１、０７０１、０８０１）を、図４に示すようにテーブルに防犯対策カード欄（０４０５）を設けて明示的に記載しても良い。
【００３３】
また、各チェックリストに重み付けを行って防犯対策カードを選択することとしても良い。例えば、図３の周辺環境チェックリスト（０３００）では、全１７項目中８項目がＢ列にチェックされている。また、図４の建物チェックリスト（０４００）では、全４５項目中３０項目がＮＯにチェックされている。また、図５の生活習慣チェックリスト（０５００）では、全１２項目中３項目がＮＯにチェックされている。これらを集計すると、周辺環境チェックリストは４７％、建物チェックリストは６７％、周辺環境チェックリストは２５％が防犯上望ましくない結果であることが算出される。これを、各チェックリストの弱点率とすると、弱点率の最も高い建物チェックリストの各チェック項目に対応した防犯対策カードを優先的に選択する必要があるといえる。したがって、防犯対策カード選択工程（Ｓ０２０２）では、建物チェックリスト（０４００）のＮＯに該当すると判断されたチェック項目に対応したカードを優先的に選択する。例えば、図４の建物チェックリストでは、「塀、柵、垣は見通しの良い構造になっている」とのチェック項目（０４０１）がＮＯに該当している。このため、防犯対策カード選択工程（Ｓ０２０２）では、この防犯上の弱点を補うべく、図７に示すような対応する防犯対策カードを選択する。
【００３４】
「防犯設計工程」（Ｓ０２０３）では、防犯対策カード選択工程（Ｓ０２０２）にて選択された防犯対策カードの記載に応じて防犯設備を建物に取り入れる設計をする。防犯対策カードにはチェック項目に応じた防犯対策を行うための指針と、該指針にそった設計をするための設計手法が記載されている。防犯設計工程では、防犯対策カードに記載された該設計手法を建物の設計に取り入れる。例えば、図７に示す防犯対策カードが選択された場合には、防犯設計工程では、建物の外構の柵について、見通しの良い柵を新たに建物の設計に取り入れる。
【００３５】
（実施形態１の処理の流れ）本実施形態における処理の流れを図２にそって説明する。まず、採点結果取得工程（Ｓ０２０１）にて、テーブルを用いて特定の建物を周辺環境、建物、生活習慣という３つの第一の観点に分けて採点結果を取得する。採点結果は、採点者が、特定の建物を図３乃至図５に示すように、テーブルを構成する各チェックリストのチェック項目に回答することで得られる。次に、防犯対策カード選択工程（Ｓ０２０２）では、前記採点結果取得工程（Ｓ０２０１）にて取得した採点結果に応じて対応するカードを選択する。防犯設計工程（Ｓ０２０３）では、前記防犯対策カード選択工程（Ｓ０２０２）にて選択されたカードに記載の防犯設計を実際に建物の設計に取り入れる。
【００３６】
（実施形態１の効果）本実施形態の防犯設計手法では、建築士等の専門家でない住宅施工業者の営業担当者や顧客などもテーブルを用いて自らで建物の設計を防犯上の観点からチェックすることができるため、その建物にどのような防犯設計が欠如していて、どのような防犯対策を施すべきかを防犯対策カードを参照することで、容易に捉えることができ、効率的に設計に防犯対策を反映させることができるという優れた効果を奏する。
【００３７】
《実施形態２》
【００３８】
（実施形態２の概要）本実施形態の防犯対策カードは、実施形態１に記載の防犯対策カードが、さらに、周辺環境、建物の外構、建物自体、建物の部品、生活習慣の５つの第二の観点に分けられている。そして、採点結果取得工程では、第一の観点の建物カテゴリーがさらに、建物の外構、建物自体、建物の部品の３つのサブカテゴリーを含む５つのカテゴリーに分けられて採点結果が取得されることで、さらに、建物が防犯上のどのような弱点を有しているのかを詳細に把握することができる。
【００３９】
（実施形態２の構成）図９に本実施形態における防犯設計手法の処理の流れを示す。本実施形態における防犯設計手法は、「採点結果取得工程」（Ｓ０９０１）と、「防犯対策カード選択工程」（Ｓ０９０２）と、「防犯設計工程」（Ｓ０９０３）とからなり、「採点結果取得工程」（Ｓ０９０１）では、５つのカテゴリーである第二の観点ごとに採点が行われ、「防犯対策カード選択工程」（Ｓ０９０２）では、５つのカテゴリーに分けられた第二の観点ごとに防犯対策カードが選択されることを特徴とする。
【００４０】
（実施形態２の構成の説明）本実施形態における第一の観点に含まれる建物カテゴリーは、さらに、建物の外構、建物自体、建物の部品、という３つのサブカテゴリーに分けられており、本実施形態における「採点結果取得工程」（Ｓ０９０１）では、この３つのサブカテゴリーにも分けて採点結果を取得する。また、本実施形態における防犯対策カードは、周辺環境、建物の外構、建物自体、建物の部品、生活習慣の５つの第二の観点に分けられている。
【００４１】
周辺環境の観点に分けられた防犯対策カードは、図６にて示したように、主に建物の周辺環境の犯罪状況を知るための防犯対策カードである。また、生活習慣の観点に分けられた防犯対策カードは、図８にて示したように、主に建物の居住者の日頃の生活における防犯意識を高めるための防犯対策カードである。本実施形態における防犯対策カードは、建物に防犯設計を施すための防犯対策カードがさらに、建物の外構、建物自体、建物の部品の観点に分けられている。図７にて示した防犯対策カードは、建物の外構の観点に分けられた防犯対策カードであり、建物の外構に防犯設計を施すためのカードである。さらに、図１０に示すのは、建物自体の観点に分けられた防犯対策カードであり、図１１に示すのは、建物の部品の観点に分けられた防犯対策カードである。建物の外構とは、塀や柵、門扉、庭の植栽等の建物を取り囲む構造物をいう。建物自体とは、建物自体の構造をいう。建物の部品とは、ドア、窓、ドアフォン、防犯カメラ等の建物に取り付けられる部品等をいう。
【００４２】
本実施形態におけるテーブルを構成する建物チェックリストは、図１２に示すように各チェック項目を、さらに建物の外構（１２０１）、建物自体（１２０２）、建物の部品（１２０３）に分けておく。このようにして、建物チェックリスト（１２００）にて対象となる建物の防犯上のチェックを行うと、建物の外構、建物自体、建物の部品の観点に分けて採点結果を取得することができる。例えば、図１２に示す建物チェックリストにて対象となる建物の設計が各チェック項目のＹＥＳに該当するかＮＯに該当するかをチェック欄にチェックして採点結果を取得すると、各チェック項目に対応した建物の外溝、建物自体、建物の部品について振り分けられた採点結果が得られる。図１２において、建物の外構に関するチェック項目（１２０１）は１３項目あり、そのうち３項目について「ＮＯ」がチェックされている。また、建物自体に関するチェック項目（１２０２）は９項目あり、そのうち６項目について「ＮＯ」がチェックされている。また、建物の部品に関するチェック項目（１２０３）は２３項目あり、そのうち９項目について「ＮＯ」がチェックされている。これらより、前述のようにして弱点率を算出すると、建物の外溝に関する弱点率が２３％、建物自体に関する弱点率が６７％、建物の部品に関する弱点率は３９％であることがわかる。段落００３３に記載したように、周辺環境チェックリストと、生活習慣チェックリストについても図３及び図５に示すようにチェックしたとすると、周辺環境に関する弱点率は３５％、生活習慣に関する弱点率は２５％であるから、５つの第二の観点から見たとき、弱点率の最も高い「建物自体に対応した防犯対策カード」を優先的に選択する必要があることがわかる。このように、本実施形態における採点結果取得工程（Ｓ０９０１）では、採点結果を５つの第二の観点に分けて取得することができる。
【００４３】
本実施形態の「防犯対策カード選択工程」（Ｓ０９０２）は、採点結果取得工程（Ｓ０９０１）にて５つのカテゴリーである第二の観点ごとに取得された採点結果に応じて防犯対策カードが選択される。上記のとおり、それぞれの弱点率が算出された場合には、防犯対策カード選択工程では、建物自体に関するチェック項目に対応する防犯対策カードを優先的に選択する。例えば、図１２では、建物自体に関するチェック項目にて、「建物外周には通り等から死角になるスペースがない」とのチェック項目（１２０４）に「ＮＯ」とのチェックがされている。このため、このチェック項目に対応して関連付けられている防犯対策カード番号３−（１）（１２０５）の防犯対策カードが選択される。
【００４４】
（実施形態２の処理の流れ）本実施形態における処理の流れを図９にそって説明する。本実施形態における建物カテゴリーはさらに、建物の外構、建物自体、建物の部品という３つのサブカテゴリーに分けられており、この３つのサブカテゴリーを含む５つのカテゴリーである第二の観点に分けて特定の建物を採点し、防犯対策カードを選択する。このため、まず、採点結果取得工程（Ｓ０９０１）にて、テーブルを用いて特定の建物を、周辺環境、建物の外構、建物自体、建物の部品、生活習慣の５つのカテゴリーである第二の観点に分けて採点結果が取得される。採点結果は、採点者が、特定の建物を図３、図１２、図５に示すように、テーブルを構成する各チェックリストのチェック項目に回答することで得られる。次に、防犯対策カード選択工程（Ｓ０９０２）では、第二の観点ごとに行われた採点結果に応じて対応する防犯対策カードを選択する。そして、防犯設計工程（Ｓ０９０３）では、選択された防犯対策カードに記載された防犯設計を実際の建物の設計に取り入れる。
【００４５】
（実施形態２の効果）本実施形態の防犯設計手法では、建築士等の専門家でない住宅施工業者の営業担当者や顧客などもテーブルを用いて自らで建物の設計を防犯上の観点からチェックすることができるため、その建物にどのような防犯設計が欠如していて、どのような防犯対策を施すべきかを防犯対策カードを参照することで容易に、かつより詳細に捉えることができる。
【００４６】
また、本発明の防犯設計手法によって、複数の観点から対象となる建物が防犯上の弱点を有する設計か否かをチェックして、施すべき防犯設計を容易に把握することができる。そして、選択された防犯対策カードに記載の設計指針を参照することにより、効率的に設計に防犯対策を反映させることができるという優れた効果を奏する。
【００４７】
《実施形態３》
【００４８】
（実施形態３の概要）本実施形態の防犯設計手法では、図１３に示すように、実施形態１及び２に記載の防犯対策カード（１３０３）に、さらに、アイテムリスト（１３０３ｂ）が記載される。アイテムリスト（１３０３ｂ）には、防犯設計手法を取り入れるためのアイテムが記載されており、各アイテムごとに対応するアイテムカード（１３０５）を有する。アイテムカードは防犯対策カードの記載のアイテムリストに応じて選択され、選択されたアイテムカード（１３０５ａ）に記載された製品を、対象とした建物（１３０４）の防犯設計に取り入れることで、前記防犯対策カードに記載された防犯対策を施すことができる。
【００４９】
（実施形態３の構成）図１４に本実施形態における防犯設計手法の処理の流れを示す。本実施形態に記載の防犯設計手法は、「採点結果取得工程」（Ｓ１４０１）と、「防犯対策カード選択工程」（Ｓ１４０２）と、「アイテムカード選択工程」（Ｓ１４０３）と、「防犯設計工程」（Ｓ１４０４）とからなる。「アイテムカード選択工程」（Ｓ１４０３）以外については、実施形態１又は２にて説明済みであるため、説明を省略する。
【００５０】
（実施形態３の構成の説明）「アイテムカード選択工程」（Ｓ１４０３）では、防犯対策カード選択工程（Ｓ１４０２）にて選択された防犯対策カードの記載に応じてアイテムカードを選択する。以下、アイテムカードの選択の仕方を、本実施形態の防犯対策カードを例示した図１５にて説明する。
【００５１】
本実施形態の防犯対策カード（１３０３）は、図１５に示すように、例えば２−（２）などと防犯対策番号（１５０１）が記載され、テーブル（１３０２）を構成する各チェックリストの各チェック項目（１３０１）との対応を示す。また、防犯対策カードが、狙われにくい建物か、侵入しにくい建物か、被害が出にくい建物かのいずれの視点に関するものであるかという点と、周辺環境、建物の外構、建物自体、建物の部品、生活習慣のいずれの観点に関するものであるかという点を示す欄（１５０２）を設けても良い。図１５では○印にて示しているが、このような態様には限られない。なお、防犯対策カードは、複数のチェック項目に関連付けられていることがあるため、１５０２に示す欄には、複数の○印が記載されていても良い。１５０２に示す欄を参照することで、該防犯対策カードがどのような防犯設計に関するものであるかを容易に把握することができる。防犯対策番号（１５０１）の略下側には、建物チェックリストの各チェック項目に対応した防犯に適した設計指針が、ガイドライン（１５０３）として記載されている。該ガイドライン（１５０３）の略下側には、防犯対策欄（１５０４）が設けられている。防犯対策欄（１５０４）には、該設計指針にそった設計をするための設計手法（１５０５）が、簡単な図と解説（１５０６）とともに記載されている。また、設計手法は一の設計手法が記載されていても良いし、図１５に示すように、複数段階に設定された設計手法が記載されていても良い。設計手法が複数段階に設定されるのは、一の設計手法を取り入れることで上記設計指針にそった設計とすることができるが、さらに、より望ましい設計手法がある場合である。例えば、図１５では、Ａ段階とＢ段階の設計手法が設定されている。これは、少なくともＡ段階の設計手法を取り入れることでガイドライン（１５０３）に記載された設計指針を充足することができるが、より設計指針を充足する、あるいは、設計指針以上の防犯設計を施すことが可能な設計手法をＢ段階の設計手法として記載している。防犯対策カードの最下欄には、該防犯対策欄に記載された設計手法を施すためのアイテムが複数記載されたアイテムリスト（１５０７）が記載されている。アイテムとは、防犯対策欄（１５０４）に記載された設計手法を施すための部材を用途や設置箇所に応じて分類分けし、この分類分けしたものを代表する名称などである。例えば、「フェンス・垣根」、「植栽」、「錠前・シリンダー」などの直感的に建物のどこに使われるものであるかが分かりやすい名称がアイテムとして記載される。また、アイテムを簡略的な絵で表すことにより、視覚的にも分かりやすく記載することが望ましい。さらに、利用不可能なアイテムの絵には斜線を記載することで、利用の可否を表示することができる。アイテムリストには、これらのアイテムが複数記載されている。
【００５２】
アイテムカード（１３０５）には、防犯対策カードのアイテムリストの各アイテムごとに、前記設計指針にそった設計をするための一以上の防犯部材が品名、特徴、価格帯などとともに記載されている。図１３に示すように、選択されたアイテムカード（１３０５ａ）に記載された防犯部材を対象となる建物（１３０４）の設計に反映させることで、防犯対策カード（１３０３）に記載の設計指針にそった防犯設計をすることができる。
【００５３】
図１６乃至図１７にアイテムカードの具体例を示す。図１６には、「フェンス・垣根」に関するアイテムカード、図１７には「ドア本体・ドア枠」に関するアイテムカードを例示する。図１６を用いてアイテムカードを詳細に説明する。図１６に示すように、アイテムカードの最上部には、「フェンス・垣根」などのアイテムの名称（１６０１）が記載され、該アイテムカードがどのアイテムに関するカードであるかを示している。また、図１５に示すように、アイテムリスト（１５０７）にアイテムの名称とともに簡略化した絵を記載している場合には、アイテムカードにもアイテムの名称（１６０１）とともに該簡略化した絵を記載することが望ましい。このようにすることで、視覚的にも該アイテムカードがどのアイテムに関するカードであるかをわかりやすくすることができる。アイテムの名称の下側には、前記防犯対策カードの設計指針にそった設計をするための一以上の防犯部材が品名、特徴、価格帯などとともに表形式にて記載されている。品名欄（１６０２）には、各防犯部材を表す名称が記載される。特徴欄（１６０３）には、各防犯部材の特徴や具体的な商品名などが記載される。価格帯欄（１６０４）には、その防犯部材を設計に取り入れる場合にかかる費用等が記載される。図１６に示す価格帯欄には費用を、価格ごとに「一万円未満・五万円未満・五万円以上」の三段階に分けてそれぞれの欄を構成し、いずれかの欄に○印を付すことで各防犯部材の価格帯を示している。また、価格帯欄をひとつの欄とし、防犯部材の実際の価格を記載するなどしても良い。
【００５４】
アイテムカード選択工程（Ｓ１４０３）では、このような複数のアイテムカードの中から一のアイテムカードを選択する。例えば、防犯対策カード選択工程（Ｓ１４０２）にて図１８に示す４−（１）の防犯対策カードが選択された場合について具体的に説明する。図１８に示す防犯対策カードは、図１１にて例示した防犯対策カードにアイテムリストが付加されたものである。図１８に示す防犯対策カードでは、設計手法がＡ段階（１８０１）、Ｂ段階（１８０２）、Ｃ段階（１８０３）に設定されている。そして、防犯対策カード最下欄のアイテムリストには、これらの各段階に応じたアイテムが記載されている。
【００５５】
例えば、図１８において、Ａ段階の設計手法「壊されにくいドアにする」（１８０１）を取り入れるためには、アイテム「ドア・ドア枠」（１８０４）に関する防犯設計を施すことが分かる。従って、対象となる建物には、図１７に示すようなアイテム「ドア・ドア枠」に対応するアイテムカードの中から防犯部材を選択して、防犯設計を施すべきであることが分かる。また同様に、Ｂ段階の設計手法「開けにくい鍵にする」（１８０２）を取り入れるためには、「錠前・シリンダー」（１８０５）、「補助錠」（１８０６）「サムターン」（１８０７）などのアイテムに対応するアイテムカードの中から防犯部材を選択して防犯設計を施すべきであることが分かる。Ｃ段階の設計手法「センサーを設置する」（１８０３）を取り入れる場合についても、同様にして対応するアイテムカードの中から防犯部材を選択して防犯設計を施すことができる。
【００５６】
アイテムカードには、図１６又は図１７に示すように、品名欄（１６０２）、特徴欄（１６０３）、価格欄（１６０４）が横列に設けられており、該当する防犯部材に関する情報が各欄に記載されている。従って、いずれの防犯部材がどのような特徴を有し、その防犯部材を設計手法に取り入れるためには、どの程度の費用がかかるかを即座に把握することができる。
【００５７】
本実施形態の「防犯設計工程」（Ｓ１４０４）では、前記アイテムカード選択工程（Ｓ１４０３）にて選択されたアイテムカードの記載に応じて、上述の通り、防犯設備を建物に取り入れる設計をする。例えば、図１６に記載された「フェンス・垣根」のアイテムカードが選択された場合には、居住者や営業担当者は、設計の専門的な知識がなくても、価格と性能のバランスを考えた上でどのアイテムを選択するか判断することができる。
【００５８】
また、図１３に示すように、これらの処理を行うためのテーブルが記載されたテーブルシートと、防犯対策カードと、アイテムカードと、からなる防犯設計カードセットを予め備えておくことが望ましい。
【００５９】
（実施形態３の処理の流れ）本実施形態における処理の流れを図１４にそって説明する。まず、採点結果取得工程（Ｓ１４０１）にて、テーブルを用いて特定の建物を周辺環境、建物、生活習慣という３つの第一の観点に分けて採点結果を取得する。採点結果は、採点者が、特定の建物を図３乃至図５に示すように、テーブルを構成する各チェックリストのチェック項目に回答することで得られる。次に、防犯対策カード選択工程（Ｓ１４０２）では、前記採点結果取得工程（Ｓ１４０１）にて取得した採点結果に応じて対応する防犯対策カードを選択する。次に、アイテムカード選択工程（Ｓ１４０３）では、前記選択された防犯対策カードに応じてアイテムカードを選択する。そして、防犯設計工程（Ｓ１４０４）では、前記アイテムカード選択工程（Ｓ１４０３）にて選択されたアイテムカードに記載の防犯製品を実際に建物の設計に取り入れる。
【００６０】
（実施形態３の効果）本実施形態の防犯設計手法では、建築士等の専門家でない住宅施工業者の営業担当者や顧客などもテーブルを用いて自らで建物の設計を防犯上の観点からチェックすることができるため、その建物にどのような防犯設計が欠如していて、どのような防犯対策を施すべきかを防犯対策カードを参照することで、容易に捉えることができる。
【００６１】
また、本発明の防犯設計手法によって、複数の観点から対象となる建物が防犯上の弱点を有する設計か否かをチェックして、施すべき防犯設計を容易に把握することができる。さらに、防犯設計を反映させるために、どのような製品を実際に用いたらいいのかを容易に捉えることができ、これを設計に効率的に反映させることができるという優れた効果を奏する。
【００６２】
《実施形態４》
【００６３】
（実施形態４の概要）本実施形態の防犯設計手法では、実施形態１から３に記載のテーブルのチェック項目が、狙われにくい建物か、侵入しにくい建物か、被害が出にくい建物かのいずれの視点から定められたものであるかに応じて、防犯対策カードを選択することを特徴とする。
【００６４】
（実施形態４の構成）図１９に本実施形態における防犯設計手法の処理の流れを示す。本実施形態における防犯設計手法は、「採点結果取得工程」（Ｓ１９０１）と、「防犯対策カード選択工程」（Ｓ１９０２）と、「防犯設計工程」（Ｓ１９０３）に加えて、「防犯対策カード選択工程」（Ｓ１９０２）は「重み付け割当工程」（Ｓ１９０４）と、「不十分さ採点工程」（Ｓ１９０５）と、「必要度数算出工程」（Ｓ１９０６）を含むことを特徴とする。
【００６５】
（実施形態４の構成の説明）「重み付け割当工程」（Ｓ１９０４）では、チェック項目で不十分とされた項目の数を３つの視点ごとに集計して、不十分とされるチェック項目数が多い視点ほど重い係数を割り当てる。不十分とされるチェック項目とは、例えば、図３に示す周辺環境チェックリスト（０３００）では、Ｂ列に該当するとの採点結果となったチェック項目をいい、図４、図５に示す建物チェックリスト（０４００）、生活習慣チェックリスト（０５００）では、ＮＯに該当するとの採点結果となったチェック項目をいう。
【００６６】
以下に、図２０を用いて具体例を示す。図２０では、建物チェックリストを、防犯設計に関する各チェック項目（２００１）は、「狙われにくい建物か」、「侵入しにくい建物か」、「被害が出にくい建物か」、の３つの視点のうち、いずれの視点から定められたものであるかを防犯設計欄（２００２）にて○印を記載することで示している。「侵入しにくい建物か」については、さらに、「侵入に時間がかかる」と、「侵入を発見できる」とに細分化して示しているが、ここでの集計はこれらをまとめて行う。建物チェックリストの最右欄には、防犯対策カード欄（２００３）が設けられ、防犯設計に関する各チェック項目に対応する防犯対策などが記載された防犯対策カードを示す防犯対策カード番号が記載されている。この各チェック項目は、いずれの視点にて定められた防犯設計であるかによって重み付けをすることができる。例えば、図２０に示す建物チェックリストでは、チェック欄の下欄に、各視点ごとに「ＮＯ」に該当するチェック項目の項目数を記載している（２００４）。図２０では、「狙われにくい建物か」との視点に関する項目が１５項目中７項目、「侵入しにくい建物か」との視点に関する項目が２７項目中１０項目、「被害が出にくい建物か」との視点に関する項目が３項目中１項目、ＮＯとの採点結果を示している。そして、この項目数などに応じていずれの視点の防犯設計を優先的に行うべきかを順位付けすることが可能である。一例としては、前述の段落００３３に記載したのと同様に、各視点に関する項目ごとに弱点率を計算することで順位付けを行うことができる。弱点率を計算すると、「狙われにくい建物か」に関する項目は４７％、「侵入しにくいか」に関する項目は３７％、「被害が出にくいか」に関する項目は３３％となる。さらに、この弱点率の順番に応じて重み付けをする。例えば、弱点率の高さに応じて「狙われにくい建物か」に関する項目は１０ポイント、「侵入しにくいか」に関する項目は７ポイント、「被害が出にくいか」に関する項目は３ポイントなどと設定する。このようにして、重み付け割当工程にて、各視点の重み付けを行うことができる。
【００６７】
「不十分さ採点工程」（Ｓ１９０５）では、割り当てされた重み付けに応じて各チェック項目ごとに不十分であるとのチェックがされた視点を点数化してそのチェック項目の採点を行う。不十分さ採点工程では、上記のとおり、チェックリストにおける各視点の重み付けが行われると、ＮＯに該当するチェック項目を点数化する。例えば、図２０では、「塀、柵、垣は上階への足場となっていない」とのチェック項目（２００７）は、ＮＯに該当し、「侵入しにくい」との視点である項目であるから、７ポイントと採点される（２００５）。
【００６８】
「必要度数算出工程」（Ｓ１９０６）では、防犯対策カードごとにその防犯対策カードが対策を施そうとするチェック項目に与えられた採点を集計して防犯対策カードの必要度数を算出する。必要度数とは、防犯対策カードに記載の防犯対策を施すことが必要であるかどうかを表す値である。必要度数が大きければ、その防犯対策カードに記載の防犯対策を施す必要性が高いことを示す。
【００６９】
前記不十分さ採点工程（Ｓ１９０５）にて各チェック項目に採点が行われると、各チェック項目に対応する防犯対策カードをこれらのポイントの累積値により必要度数を表すことができる。例えば、図２０の２００６に示す４−（１）の防犯対策カード番号にて識別される防犯対策カードは、複数のチェック項目に関連付けられており、各チェック項目のポイントの累計値が４−（１）の防犯対策カードの必要度数として付与することができる。同様にして、建物チェックリストに関連付けられている防犯対策カードの全てについて必要度数を算出することで防犯対策カードの順位付けをすることができる。これらの順位付けにより、いずれの防犯対策カードに記載された防犯対策を優先的に行うべきかを判断することが可能である。図２０に示すチェック結果より、各防犯対策カードにポイントによって必要度数を付与し、優先順位付けした結果を図２１に示す。図２１に示す結果では、防犯対策カード４−（１）に記載された防犯対策を優先的に行うべきであることがわかる。図２１のように順位付けされた防犯対策カードは、順位付けに応じて並び替えることで、より優先順位を明確にすることができる。なお、いずれの防犯対策カードに記載された防犯対策を優先的に行うべきかの順位付け方法については、これらの方法に限られない。また、テーブルや防犯対策カードの構成にコンピュータを利用する場合には、これらの順位付けをコンピュータによって処理させても良い。
【００７０】
また、防犯対策カードの必要度数の算出は、一つの防犯設計を施すたびに繰り返し行うこととしても良い。例えば、防犯対策カード４−（１）に記載の設計手法を施した後の建物は、施す前の建物と比較して、建物チェックリストにチェックする項目が変化する。従って、抽出される防犯対策カードや、防犯対策カードの優先順位も変化する。
【００７１】
以上のとおり、順位選択工程（Ｓ１９０４）にて、優先すべき防犯対策カードが導き出されると、該防犯対策カードを参照することで対象とする建物の防犯上の弱点に最も適した設計指針と、該設計指針にそった設計をするための設計手法を容易に把握することができる。
【００７２】
（実施形態４の処理の流れ）本実施形態における処理の流れを図１９にそって説明する。まず、採点結果取得工程（Ｓ１９０１）にて、テーブルを用いて特定の建物を周辺環境、建物、生活習慣という３つの第一の観点に分けて採点結果を取得する。採点結果は、採点者が、特定の建物を図３、図２０、図５に示すように、テーブルを構成する各チェックリストのチェック項目に回答することで得られる。次に、防犯対策カード選択工程（Ｓ１９０２）では、前記採点結果取得工程（Ｓ１９０１）にて取得した採点結果に応じて対応する防犯対策カードを選択する。本実施形態では、防犯対策カード選択工程（Ｓ１９０２）に含まれる重み付け割当工程（Ｓ１９０４）により、チェック項目で不十分とされた項目の数を３つの視点ごとに集計して、不十分とされるチェック項目が多い視点ほど重い係数を割り当てる。そして、不十分さ採点工程（Ｓ１９０５）では、重み付け割当工程（Ｓ１９０４）にて割り当てられた重み付けに応じて各チェック項目ごとに不十分であるとのチェックがされた視点を点数化してそのチェック項目の採点を行う。不十分さ採点工程（Ｓ１９０５）にて各チェック項目が採点された後に、必要度数算出工程（Ｓ１９０６）では、防犯対策カードごとにその防犯対策カードの必要度数を算出する。防犯対策カード選択工程（Ｓ１９０２）では、この算出された必要度数に応じて防犯対策カードを選択する。そして、防犯設計工程（Ｓ１９０３）では、前記防犯対策カード選択工程（Ｓ１９０２）にて選択されたカードに記載の防犯設計を実際に建物の設計に取り入れる。
【００７３】
（実施形態４の効果）本実施形態の防犯設計手法では、建築士等の専門家でない住宅施工業者の営業担当者や顧客などもテーブルを用いて自らで建物の設計を防犯上の観点からチェックすることができるため、その建物にどのような防犯設計が欠如していて、どのような防犯対策を施すべきかを防犯対策カードを参照することで容易に捉えることができる。
【００７４】
また、本発明の防犯設計手法によって、複数の観点から対象となる建物が防犯上の弱点を有する設計か否かをチェックして、どのような順番で防犯設計を施すべきであるかを容易に把握することができるという優れた効果を奏する。
【図面の簡単な説明】
【００７５】
【図１】実施形態１の概要を示す図
【図２】実施形態１の処理の流れを示す図
【図３】周辺環境チェックリストを示す図
【図４】実施形態１の建物チェックリストを示す図
【図５】生活習慣チェックリストを示す図
【図６】周辺環境に関する防犯対策カードを示す図
【図７】建物（外構）に関する防犯対策カードを示す図
【図８】生活習慣に関する防犯対策カードを示す図
【図９】実施形態２の処理の流れを示す図
【図１０】建物（建物自体）に関する防犯対策カードを示す図
【図１１】建物（部品）に関する防犯対策カードを示す図
【図１２】実施形態２の建物チェックリストを示す図
【図１３】実施形態３の概要を示す図
【図１４】実施形態３の処理の流れを示す図
【図１５】建物（外構）に関する防犯対策カードを模式的に示す図
【図１６】アイテムカード（柵・フェンス）を示す図
【図１７】アイテムカード（ドア）を示す図
【図１８】アイテムカードの選択方法を説明する図
【図１９】実施形態４の処理の流れを示す図
【図２０】実施形態４の建物チェックリストを示す図
【図２１】ポイントによる順位付けを示す図
【符号の説明】
【００７６】
０１０１    チェック項目
０１０２    テーブル
０１０３    防犯対策カード
０１０３ａ  選択された防犯対策カード
０１０４    建物
Ｓ０２０１  採点結果取得工程
Ｓ０２０２  防犯対策カード選択工程
Ｓ０２０３  防犯設計工程
０３００    周辺環境チェックリスト
０４００    建物チェックリスト
０５００    生活習慣チェックリスト
１３０５    アイテムカード
１３０５ａ  選択されたアイテムカード
Ｓ１４０３  アイテムカード選択工程
【図１】
2007220040.tif 000003
【図２】
2007220040.tif 000004
【図３】
2007220040.tif 000005
【図４】
2007220040.tif 000006
【図５】
2007220040.tif 000007
【図６】
2007220040.tif 000008
【図７】
2007220040.tif 000009
【図８】
2007220040.tif 000010
【図９】
2007220040.tif 000011
【図１０】
2007220040.tif 000012
【図１１】
2007220040.tif 000013
【図１２】
2007220040.tif 000014
【図１３】
2007220040.tif 000015
【図１４】
2007220040.tif 000016
【図１５】
2007220040.tif 000017
【図１６】
2007220040.tif 000018
【図１７】
2007220040.tif 000019
【図１８】
2007220040.tif 000020
【図１９】
2007220040.tif 000021
【図２０】
2007220040.tif 000022
【図２１】
2007220040.tif 000023